(57)【要約】【課題】本発明の目的は、住宅の建築現場での施工工期短縮が可能な階段の腰壁、腰壁パネル、腰壁付き階段及び腰壁付き階段の施工方法を提供することにある。【解決手段】本発明は、予め表面仕上げを施された複数の腰壁パネル１１〜１３が、水平方向に連結されてなる階段の腰壁である。隣り合う腰壁パネル１１〜１３が互いに当接する領域１１ｆ、１２ｆ、１２ｅ、１３ｅには、隣り合う腰壁パネルを互いに連結する連結部５２、５４が形成されると共に、少なくとも一つの腰壁パネルの領域１２ｅ、１３ｅには、凹部５１が形成されている。連結部５２、５４は、一方の腰壁パネルの領域に形成された係合部５４ａ及び他方の腰壁パネルの領域に形成された被係合部５２ａから形成されている。係合部５４ａ及び被係合部５２ａは、係合時に凹部５１内に収納されている。【選択図】        図１
2004211377.tif 000002
【特許請求の範囲】
【請求項１】
予め表面仕上げを施された複数の腰壁パネルが、水平方向に連結されてなる階段の腰壁であって、
隣り合う前記腰壁パネルが互いに当接する領域には、前記隣り合う腰壁パネルを互いに連結する連結部が形成されると共に、少なくとも一つの前記腰壁パネルの前記領域には、凹部が形成され、
前記連結部は、一方の前記腰壁パネルの前記領域に形成された係合部及び他方の前記腰壁パネルの前記領域に形成された被係合部から形成され、
前記係合部及び前記被係合部は、係合時に前記凹部内に収納されることを特徴とする階段の腰壁。
【請求項２】
他の腰壁パネルと水平方向に連結されて階段の腰壁を形成する階段の腰壁パネルであって、
予め表面仕上げが施されてなり、
他の前記腰壁パネルと当接する領域には、前記他の腰壁パネルと連結するための係合部が形成され、
該係合部は、前記他の腰壁パネルの前記腰壁パネル当接領域に形成された被係合部に係合する位置に形成され、
前記係合部及び前記被係合部は、連結時に、前記腰壁パネル及び前記他の腰壁パネルの少なくとも一方の前記領域に形成される凹部内に収納されることを特徴とする階段の腰壁パネル。
【請求項３】
前記他の腰壁パネルと当接する領域は、前記腰壁パネルの側面上に、該側面の側端辺に沿って上下に延びて形成され、
前記被係合部は、前記他の腰壁パネルの側面に対して角度を持って形成された側端面に形成されていることを特徴とする請求項２記載の階段の腰壁パネル。
【請求項４】
前記領域は、前記腰壁パネルの側面に対して角度を持って形成された側端面に形成され、
前記被係合部は、前記他の腰壁パネルの側面に対して角度を持って形成された側端面に形成されていることを特徴とする請求項２記載の階段の腰壁パネル。
【請求項５】
床面に接続される下段パネルと、該下段パネルの上に連結される上段パネルと、から構成され、
前記下段パネルの上端面と前記上段パネルの下端面が接する面には、前記下段パネルと前記上段パネルとを連結する連結部が形成されると共に、前記上端面及び前記下端面のうち少なくとも一つの端面には凹部が形成され、
該連結部は、上記下端面及び上端面のうち一方の端面に形成された係合部及び他方の端面に形成された前記係合部に係合される被係合部から形成され、
前記係合部及び前記被係合部は、係合時に前記凹部内に収納されることを特徴とする請求項２記載の階段の腰壁パネル。
【請求項６】
下側階段部分、中央階段部分、上側階段部分及び腰壁により構成される腰壁付き階段であって、
下階の床面に下端を接続され、階段と該階段の側面に固定された上側腰壁パネルとを備える下側階段ユニットと、
上階の床面に上端を接続され、階段と該階段の側面に固定された下側腰壁パネルとを備える上側階段ユニットと、
該上側階段ユニットの下端に上端を接続されると共に前記下側階段ユニットの上端に下端を接続され、階段と該階段の側面に固定された中央腰壁パネルとを備える中央階段ユニットと、を備え、
前記上側腰壁パネルと前記中央腰壁パネルとが連結される領域及び前記中央腰壁パネルと前記下側腰壁パネルとが連結される領域には、前記腰壁パネルを互いに連結する連結部が形成されると共に、連結される一対の前記腰壁パネルのうち少なくとも一つの前記腰壁パネルの前記領域には凹部が形成され、
該連結部は、一の前記腰壁パネルの前記領域と他の前記腰壁パネルの前記領域のうち、一方の前記領域に形成された係合部及び他方の前記領域に形成された前記係合部に係合される被係合部から形成され、
前記係合部及び前記被係合部は、係合時に前記凹部内に収納されることを特徴とする腰壁付き階段。
【請求項７】
下階の床面に下端を接続されると共に上端が上階の床面に接続される階段部分と、該階段部分の側面に固定される腰壁と、により構成される腰壁付き階段の施工方法であって、
前記腰壁を構成する上側腰壁パネルと、中央腰壁パネルと、下側腰壁パネルと、の表面仕上げをする工程と、
互いに連結される前記上側腰壁パネル及び中央腰壁パネルのうち、少なくとも一方の前記腰壁パネルの他の前記摺壁パネル当接領域に、凹部を形成すると共に、互いに連結される前記中央腰壁パネル及び下側腰壁パネルのうち、少なくとも一方の前記腰壁パネルの他の前記腰壁パネル当接領域に、凹部を形成する工程と、
前記上側腰壁パネルが前記中央腰壁パネルと当接する領域及び前記中央腰壁パネルが前記下側腰壁パネルと当接する領域に、前記凹部内に収納される係合部を形成する工程と、
前記中央腰壁パネルが前記上側腰壁パネルと当接する領域及び前記下側腰壁パネルが前記中央腰壁パネルと当接する領域に、前記凹部内に収納される被係合部を形成する工程と、
前記上側腰壁パネルを、前記下階の床上に配置する工程と、
前記中央腰壁パネルを、前記被係合部に前記上側腰壁パネルの前記係合部を係合させて、前記下階の床上に前記上側腰壁パネルと連結配置する工程と、
前記下側腰壁パネルを、前記被係合部に前記中央腰壁パネルの係合部を係合させて、前記下階の床上に前記中央腰壁パネルと連結配置する工程と、
前記階段部分を、前記上側腰壁パネル及び中央腰壁パネル及び下側腰壁パネルに沿って組立てる工程と、からなることを特徴とする腰壁付き階段の施工方法。
【発明の詳細な説明】
【０００１】
【発明の属する技術分野】
本発明は階段の腰壁、階段の腰壁パネル、腰壁付き階段及び腰壁付き階段の施工方法に係り、特に搬入及び施工が容易な階段の腰壁、階段の腰壁パネル、腰壁付き階段及び腰壁付き階段の施工方法に関する。
【０００２】
【従来の技術】
住宅の木製階段として、階段に隣接して腰壁を設置し、この腰壁に手摺を設けた階段が知られている（例えば、特許文献１、２）。
【０００３】
【特許文献１】
特許第２５６６１０３号公報
【特許文献２】
特公平８−０１６３８１号公報
【０００４】
これら従来の階段の腰壁の設置は、次のように行われている。
まず、工場より建築現場に、階段の構成部材と、階段横に設置する腰壁の構成部材を運ぶ。階段の構成部材としては、段板、蹴込板、側桁、下地桟、幅木が含まれ、腰壁の構成部材としては、腰壁の枠体を構成する枠木、腰壁の壁面を構成する板体が含まれる。
【０００５】
次に、現場で枠体を組立て、板体を貼り付けて腰壁を組立てる。組立てた後、化粧材を貼るなどして表面仕上げを行い、その後階段を組立てて、階段の腰壁と階段とを完成させる。
【０００６】
しかし、この従来の腰壁の設置方法によれば、腰壁を現場で組立てると共に表面仕上げを行っていることから、現場での施工に時間がかかり、施工性が悪く、施工コストがかかるという問題点があった。
【０００７】
【発明が解決しようとする課題】
本発明の目的は、上記問題点を解決することにあり、住宅の建築現場での施工工期短縮が可能な階段の腰壁、腰壁パネル、腰壁付き階段及び腰壁付き階段の施工方法を提供することにある。
また、本発明の他の目的は、住宅の建築現場では表面仕上げ工程を省略して階段の腰壁の施工工期を短縮可能な階段の腰壁、腰壁パネル、腰壁付き階段及び腰壁付き階段の施工方法を提供することにある。
【０００８】
【課題を解決するための手段】
上記課題は、請求項１に係る発明によれば、予め表面仕上げを施された複数の腰壁パネルが、水平方向に連結されてなる階段の腰壁であって、隣り合う前記腰壁パネルが互いに当接する領域には、前記隣り合う腰壁パネルを互いに連結する連結部が形成されると共に、少なくとも一つの前記腰壁パネルの前記領域には、凹部が形成され、前記連結部は、一方の前記腰壁パネルの前記領域に形成された係合部及び他方の前記腰壁パネルの前記領域に形成された被係合部から形成され、前記係合部及び前記被係合部は、係合時に前記凹部内に収納されることにより解決される。
【０００９】
このように、少なくとも一つの前記腰壁パネルの前記領域には、凹部が形成され、前記連結部は、一方の前記腰壁パネルの前記領域に形成された係合部及び他方の前記腰壁パネルの前記領域に形成された被係合部から形成され、前記係合部及び前記被係合部は、係合時に前記凹部内に収納されるため、腰壁パネルを連結した箇所を外側から見えないようにすることができ、腰壁及び階段を現場で施工するときに、腰壁パネル連結後に、連結箇所を隠すための表面仕上げ等を行う必要がない。
従って、住宅の建築現場では、階段の腰壁の設置は、腰壁パネル同士の連結と、連結箇所の接着剤等による固定のみ行えばよいため、施工工期の短縮を図ることが可能となる。
【００１０】
上記課題は、請求項２に係る発明によれば、他の腰壁パネルと水平方向に連結されて階段の腰壁を形成する階段の腰壁パネルであって、予め表面仕上げが施されてなり、他の前記腰壁パネルと当接する領域には、前記他の腰壁パネルと連結するための係合部が形成され、該係合部は、前記他の腰壁パネルの前記腰壁パネル当接領域に形成された被係合部に係合する位置に形成され、前記係合部及び前記被係合部は、連結時に、前記腰壁パネル及び前記他の腰壁パネルの少なくとも一方の前記領域に形成される凹部内に収納されることにより解決される。
【００１１】
このように、予め表面仕上げが施されてなり、他の前記腰壁パネルと当接する領域には、前記他の腰壁パネルと連結するための係合部が形成され、該係合部は、前記他の腰壁パネルの前記腰壁パネル当接領域に形成された被係合部に係合する位置に形成され、前記係合部及び前記被係合部は、連結時に、前記腰壁パネル及び前記他の腰壁パネルの少なくとも一方の前記領域に形成される凹部内に収納されるため、腰壁パネルを連結した箇所を外側から見えないようにすることができ、腰壁及び階段を現場で施工するときに、腰壁パネル連結後に、連結箇所を隠すための表面仕上げ等を行う必要がない。
従って、住宅の建築現場では、階段の腰壁の設置は、腰壁パネル同士の連結と、連結箇所の接着剤等による固定のみ行えばよいため、施工工期の短縮を図ることが可能となる。
【００１２】
このとき、前記他の腰壁パネルと当接する領域は、前記腰壁パネルの側面上に、該側面の側端辺に沿って上下に延びて形成され、前記被係合部は、前記他の腰壁パネルの側面に対して角度を持って形成された側端面に形成されているように構成すると好適である。
このように構成されているため、腰壁パネルを垂直や、鈍角の角度で組合わせたコの字型、Ｌ字型、くの字型、Ｊ字型、Ｕ字型等の階段の腰壁を、簡単な工程で迅速に設置することが可能となる。
【００１３】
また、前記領域は、前記腰壁パネルの側面に対して角度を持って形成された側端面に形成され、前記被係合部は、前記他の腰壁パネルの側面に対して角度を持って形成された側端面に形成されているように構成すると好適である。
このように構成されているため、腰壁パネルの側端面同士を連結した直階段用の腰壁、くの字型等の階段の腰壁を、簡単な工程で迅速に設置することが可能となる。
【００１４】
さらに、床面に接続される下段パネルと、該下段パネルの上に連結される上段パネルと、から構成され、前記下段パネルの上端面と前記上段パネルの下端面が接する面には、前記下段パネルと前記上段パネルとを連結する連結部が形成されると共に、前記上端面及び前記下端面のうち少なくとも一つの端面には凹部が形成され、該連結部は、上記下端面及び上端面のうち一方の端面に形成された係合部及び他方の端面に形成された前記係合部に係合される被係合部から形成され、前記係合部及び前記被係合部は、係合時に前記凹部内に収納されるように構成すると好適である。
【００１５】
このように構成しているため、上下に分割された腰壁パネルを連結した箇所を外側から見えないようにすることができ、腰壁及び階段を現場で施工するときに、腰壁パネル連結後に、連結箇所を隠すための表面仕上げ等を行う必要がない。従って、腰壁パネルを上下に分割して搬送できると共に、上下に分割した腰壁パネルを建築現場で設置するときにも簡単な工程で施工でき、搬送コストの低減と施工工期の短縮を同時に達成することが可能となる。
【００１６】
上記課題は、請求項６に係る発明によれば、下側階段部分、中央階段部分、上側階段部分及び腰壁により構成される腰壁付き階段であって、下階の床面に下端を接続され、階段と該階段の側面に固定された上側腰壁パネルとを備える下側階段ユニットと、上階の床面に上端を接続され、階段と該階段の側面に固定された下側腰壁パネルとを備える上側階段ユニットと、該上側階段ユニットの下端に上端を接続されると共に前記下側階段ユニットの上端に下端を接続され、階段と該階段の側面に固定された中央腰壁パネルとを備える中央階段ユニットと、を備え、前記上側腰壁パネルと前記中央腰壁パネルとが連結される領域及び前記中央腰壁パネルと前記下側腰壁パネルとが連結される領域には、前記腰壁パネルを互いに連結する連結部が形成されると共に、連結される一対の前記腰壁パネルのうち少なくとも一つの前記腰壁パネルの前記領域には凹部が形成され、該連結部は、一の前記腰壁パネルの前記領域と他の前記腰壁パネルの前記領域のうち、一方の前記領域に形成された係合部及び他方の前記領域に形成された前記係合部に係合される被係合部から形成され、前記係合部及び前記被係合部は、係合時に前記凹部内に収納されることにより解決される。
【００１７】
このように、連結される一対の前記腰壁パネルのうち少なくとも一つの前記腰壁パネルの前記領域には凹部が形成され、該連結部は、一の前記腰壁パネルの前記領域と他の前記腰壁パネルの前記領域のうち、一方の前記領域に形成された係合部及び他方の前記領域に形成された前記係合部に係合される被係合部から形成され、前記係合部及び前記被係合部は、係合時に前記凹部内に収納されるため、腰壁パネルを連結した箇所を外側から見えないようにすることができ、腰壁及び階段を現場で施工するときに、腰壁パネル連結後に、連結箇所を隠すための表面仕上げ等を行う必要がない。
従って、住宅の建築現場では、階段の腰壁の設置は、腰壁パネル同士の連結と、連結箇所の接着剤等による固定のみ行えばよいため、施工工期の短縮を図ることが可能となる。
【００１８】
上記課題は、請求項７に係る発明によれば、下階の床面に下端を接続されると共に上端が上階の床面に接続される階段部分と、該階段部分の側面に固定される腰壁と、により構成される腰壁付き階段の施工方法であって、前記腰壁を構成する上側腰壁パネルと、中央腰壁パネルと、下側腰壁パネルと、の表面仕上げをする工程と、互いに連結される前記上側腰壁パネル及び中央腰壁パネルのうち、少なくとも一方の前記腰壁パネルの他の前記摺壁パネル当接領域に、凹部を形成すると共に、互いに連結される前記中央腰壁パネル及び下側腰壁パネルのうち、少なくとも一方の前記腰壁パネルの他の前記腰壁パネル当接領域に、凹部を形成する工程と、前記上側腰壁パネルが前記中央腰壁パネルと当接する領域及び前記中央腰壁パネルが前記下側腰壁パネルと当接する領域に、前記凹部内に収納される係合部を形成する工程と、前記中央腰壁パネルが前記上側腰壁パネルと当接する領域及び前記下側腰壁パネルが前記中央腰壁パネルと当接する領域に、前記凹部内に収納される被係合部を形成する工程と、前記上側腰壁パネルを、前記下階の床上に配置する工程と、前記中央腰壁パネルを、前記被係合部に前記上側腰壁パネルの前記係合部を係合させて、前記下階の床上に前記上側腰壁パネルと連結配置する工程と、前記下側腰壁パネルを、前記被係合部に前記中央腰壁パネルの係合部を係合させて、前記下階の床上に前記中央腰壁パネルと連結配置する工程と、前記階段部分を、前記上側腰壁パネル及び中央腰壁パネル及び下側腰壁パネルに沿って組立てる工程と、からなることにより解決される。
【００１９】
このように、各腰壁パネルを床上に連結配置する工程の前に、前記腰壁を構成する上側腰壁パネルと、中央腰壁パネルと、下側腰壁パネルと、の表面仕上げをする工程と、互いに連結される前記上側腰壁パネル及び中央腰壁パネルのうち、少なくとも一方の前記腰壁パネルの他の前記摺壁パネル当接領域に、凹部を形成すると共に、互いに連結される前記中央腰壁パネル及び下側腰壁パネルのうち、少なくとも一方の前記腰壁パネルの他の前記腰壁パネル当接領域に、凹部を形成する工程と、前記上側腰壁パネルが前記中央腰壁パネルと当接する領域及び前記中央腰壁パネルが前記下側腰壁パネルと当接する領域に、前記凹部内に収納される係合部を形成する工程と、前記中央腰壁パネルが前記上側腰壁パネルと当接する領域及び前記下側腰壁パネルが前記中央腰壁パネルと当接する領域に、前記凹部内に収納される被係合部を形成する工程と、を行っているため、腰壁パネル設置後、腰壁パネルを連結した箇所を外側から見えないようにすることができ、腰壁及び階段を現場で施工するときに、腰壁パネル連結後に、連結箇所を隠すための表面仕上げ等を行う必要がない。
従って、住宅の建築現場では、階段の腰壁の設置は、腰壁パネル同士の連結と、連結箇所の接着剤等による固定のみ行えばよいため、施工工期の短縮を図ることが可能となる。
【００２０】
【発明の実施の形態】
以下、本発明の一実施形態を図面に基づいて説明する。なお、以下に説明する部材，配置等は本発明を限定するものでなく、本発明の趣旨の範囲内で種々改変することができるものである。
本実施形態の階段の腰壁Ｗは、住宅の階段の腰壁である。
本実施形態の腰壁Ｗの組立状態を示す図１〜図３は、住宅の１階の床４１と２階の床４２との間に設置された腰壁Ｗを示している。
【００２１】
図１は、腰壁Ｗと階段２１〜２３が設置された状態を１階側から見た説明図、図２は、腰壁Ｗと階段２１〜２３が設置された状態を天井側から見た平面図、図３は、図２のＡ−Ａ断面図である。
【００２２】
本実施形態の腰壁Ｗは、図１、図３に示すように、上側腰壁パネルとしての２階側腰壁パネル１１、中央腰壁パネル１２、下側腰壁パネルとしての１階側腰壁パネル１３がコの字状に連結されて立設されている。
２階側腰壁パネル１１、中央腰壁パネル１２、１階側腰壁パネル１３は、所定の厚みを備えた板状体からなり、本実施形態では、これらのパネル１１〜１３が同じ厚みに形成されている。
【００２３】
２階側腰壁パネル１１は、２階側上段腰壁パネル１１ａと、２階側下段腰壁パネル１１ｂとからなり、これらのパネル１１ａ及び１１ｂの側面が連続した平面を形成するよう連結されて構成されている。
２階側上段腰壁パネル１１ａと２階側下段腰壁パネル１１ｂとは、一つのパネルの高さ方向の長さを約２ｍ以下にするため、分割されている。高さ方向の長さが約２ｍ以下であるため、工場から建設現場までの搬送が容易になり、運送費低減を図ることが可能となる。
【００２４】
２階側上段腰壁パネル１１ａは、図４の点線で示す木製の枠体１０ａの両面に、表面に化粧材であるオレフィンシートが貼付された不図示の合板が接着剤で貼付されて形成されている。
図４に示すように、２階側上段腰壁パネル１１ａの枠体１０ａは、長方形の一つの頂点が円弧状に形成された形状になるよう組まれている。住宅の壁に連結される側の辺１１ｈは、組立時床に垂直な直線になるように形成されている。また、住宅の壁に連結される側の逆の辺１１ｇは、組立時床に垂直になる直線が、上に向かうに連れて辺１１ｈ側に湾曲する円弧状に形成されている。
【００２５】
表裏の側面をつなぐ側端面は、側面に対して９０°の角度を持って形成されている。
また、住宅の壁に連結される側の辺１１ｈには、２階の床４２を嵌合させるためのコの字形の切欠１４が形成されている。
【００２６】
２階側上段腰壁パネル１１ａの下端面１１ｃには、図５に示すように、下端面１１ｃの長手方向に延びる凹部としての溝５１が形成されている。
溝５１には、２階側上段腰壁パネル１１ａを２階側下段腰壁パネル１１ｂと連結するための被係合部としての被係合金物５２がビス５２ｂで固定されている。
【００２７】
被係合金物５２は、鋼製の長方形の略板状体からなり、厚さ方向に被係合金物５２を貫通する被係合孔５２ａが２つ穿設されている。被係合孔５２ａは、図５に示すように、円５２ｃと、この円５２ｃの直径よりも小さな幅の略長方形状５２ｄとが連続した略前方後円形状からなる。
円５２ｃの直径は、後述する係合突起５４ａの最大径よりも大きく形成され、略長方形状５２ｄの幅は、係合突起５４ａの最大径よりも小さく形成されている。これにより、係合突起５４ａを円５２ｃに挿入した後、略長方形状５２ｄ側にスライドさせれば、係合突起５４ａは被係合金物５２から外れなくなる。
【００２８】
２階側上段腰壁パネル１１ａの階段側の側面には、図３の点線で示すように、手摺３１がビスで固定されている。
手摺３１は、断面が円形で、弓状に湾曲された鉄製の棒状体からなり、表面が塗装されている。
【００２９】
２階側下段腰壁パネル１１ｂは、図４の点線で示す木製の枠体１０ｂの両面に、表面にオレフィンシートが貼付された不図示の合板が、接着剤で貼付されて形成されている。図４に示すように、２階側下段腰壁パネル１１ｂの枠体１０ｂは、側面が略長方形になるよう組まれている。
２階側下段腰壁パネル１１ｂの上端面１１ｄには、図５に示すように、上端面１１ｄの長手方向に延びる係合突起支持体５３が固定されている。
係合突起支持体５３は、上端面１１ｄの長手方向に延びる支持板５３ａと、この支持板５３ａの短辺方向両端にそれぞれ固定された二つの側面支持板５３ｂと、から構成されている。
【００３０】
支持板５３ａ表面の二つの側面支持板５３ｂに挟まれた部分は、凹部としての溝５３ｃを構成している。この溝５３ｃには、２階側下段腰壁パネル１１ｂを２階側上段腰壁パネル１１ａと連結するための係合部としての係合金物５４がビス５４ｂで固定されている。
係合金物５４は、鋼製の長方形の略板状体の表面に係合突起５４ａが二つ垂直に立設された形状からなる。係合突起５４ａは、図５に示すように、脚部よりも頭部の径が大きく形成されている。
【００３１】
２階側上段腰壁パネル１１ａと２階側下段腰壁パネル１１ｂの側面の中央腰壁パネル１２が連結される連結領域１１ｆには、図６（ａ）に示すように、係合金物５４を備えた係合突起支持体５３が固設されている。連結領域１１ｆは、特許請求の範囲の当接する領域に該当する。
連結領域１１ｆの係合金物５４の係合突起５４ａは、図７に示す中央腰壁パネル１２の側端面１２ｅに形成された被係合金物５２の被係合孔５２ａと対応する高さに形成され、被係合孔５２ａに係合可能に構成されている。
なお、係合突起５４ａの形状は、Ｌ字状の鉤型形状など、他の形状から構成してもよい。
【００３２】
中央腰壁パネル１２は、中央上段腰壁パネル１２ａと、中央下段腰壁パネル１２ｂとからなり、これらのパネル１２ａ及び１２ｂの側面が連続した平面を形成するよう連結されて構成されている。
中央上段腰壁パネル１２ａ及び中央下段腰壁パネル１２ｂを、図７（ａ）に示す。
中央上段腰壁パネル１２ａ及び中央下段腰壁パネル１２ｂの形状は、中央下段腰壁パネル１２ｂが２階側下段腰壁パネル１１ｂよりも高さが低く形成されている点を除いては、２階側上段腰壁パネル１１ａ及び２階側下段腰壁パネル１１ｂと同様である。
【００３３】
中央上段腰壁パネル１２ａの下端面１２ｃには、図７（ａ）に示すように、下端面１２ｃの長手方向に延びる凹部としての溝５１が形成されている。
溝５１には、中央上段腰壁パネル１２ａを中央下段腰壁パネル１２ｂと連結するための被係合部としての被係合金物５２が固定されている。
中央下段腰壁パネル１２ｂの上端面１２ｄには、図７（ａ）に示すように、上端面１２ｄの長手方向に延びる係合突起支持体５３が固定され、この係合突起支持体５３に、係合部としての係合金物５４が固定されている。
【００３４】
中央上段腰壁パネル１２ａ及び中央下段腰壁パネル１２ｂの、２階側腰壁パネル１１と連結される側端面１２ｅには、凹部としての溝５１が形成され、被係合金物５２が固定されている。
被係合金物５２は、円５２ｃが略長方形状５２ｄよりも上側になるよう固定される。これにより、２階側腰壁パネル１１に対して中央腰壁パネル１２を落とし込めば、両パネルの連結を安定したものとすることが可能となる。
中央上段腰壁パネル１２ａの階段側の側面、即ち連結領域１２ｆの逆の側面には、図３に示すように、手摺３２がビスで固定されている。
【００３５】
１階側腰壁パネル１３は、図８に示すように、１枚のパネルから構成されている。
１階側腰壁パネル１３の構成は、１枚のパネルから構成される点、中央腰壁パネル１２と連結される側端面１３ｅに溝５１が構成される点、係合突起支持体５３を備えない点を除き、２階側上段腰壁パネル１１ａ及び２階側下段腰壁パネル１１ｂと同様であるため、同様の構成については説明を省略する。
【００３６】
１階側腰壁パネル１３の中央腰壁パネル１２と連結される側端面１３ｅには、凹部としての溝５１が形成され、溝５１に被係合金物５２が固設されている。
被係合金物５２は、円５２ｃが略長方形状５２ｄよりも上側になるよう固定される。これにより、中央腰壁パネル１２に対して１階側腰壁パネル１３を落とし込めば、両パネルの連結を安定したものとすることが可能となる。
１階側上段腰壁パネル１３の階段側の側面には、図３に示すように、手摺３３がビスで固定されている。
【００３７】
階段としては、２階側腰壁パネル１１の横に設置される２階側階段２１と、中央腰壁パネル１２の横に設置される中央階段２２と、１階側腰壁パネル１３の横に設置される１階側階段２３と、が設置される。
階段２１〜２３は、ユニット方式の住宅に用いられる公知の階段からなり、段板２４、蹴込板２５、段板２４を支持する側板２６及び下地桟２７、段板２４及び蹴込板２５に沿って腰壁パネル１１〜１３に固定される幅木２８と、を備えている。
また、２階側階段２１と中央階段２２との間には踊り場パネル２９ａ、中央階段２２と１階側階段２３との間には踊り場パネル２９ｂを備えている。
【００３８】
２階側階段２１は、２階側腰壁パネル１１とで上側階段ユニットを構成し、中央階段２２は、中央腰壁パネル１２とで中央階段ユニットを構成し、１階側階段２３は、１階側腰壁パネル１３とで下側階段ユニットを構成する。
【００３９】
階段２１を上がったところには、中央腰壁パネル１２と平行に、階段カウンター４４が設置されている。この階段カウンター４４は、高さ約３０ｃｍ、奥行約３０ｃｍの木製の台であり、２階の床４２上に、床４２よりも階段２１〜２３側に張り出すように設置されている。床４２と平行に階段２１〜２３側に張り出して設けられたカウンター台４４ａと、カウンター台４４ａの階段２１〜２３側に立設された手摺パネル４４ｂと、を備えている。
【００４０】
次に、腰壁パネル１１〜１３及び階段２１〜２３の住宅への取付手順について説明する。
まず、工場で、桟を組んで枠体１０ａ、１０ｂを形成する。この枠体に、表面にオレフィンシートが貼付された合板を接着剤で固定し、図４に示す腰壁パネル１１ａ、１１ｂとする。
腰壁パネル１２ａ、１２ｂ、１３についても、同様に枠体を形成し、表面にオレフィンシートが貼付された合板を接着剤で固定して、腰壁パネル１２ａ、１２ｂ、１３とする。
【００４１】
次に、下端面１１ｃ、１２ｃ、側端面１２ｅ、１３ｅに、長手方向に沿う溝５１を形成する。この溝５１に、被係合金物５２をビス５２ｂで固定する。
また、上端面１１ｄ、１２ｄ、当接する領域としての連結領域１１ｆ、１２ｆに、係合突起支持体５３と、係合金物５４とを固定する。
その後、２階側上段腰壁パネル１１ａの階段側の側面、即ち連結領域１１ｆの逆の側面に、手摺３１をビスで固定する。同様に、中央上段腰壁パネル１２ａの階段側の側面、即ち連結領域１２ｆの逆の側面、１階側腰壁パネル１３の階段側の側面に、手摺３２、３３をそれぞれビスで固定する。
【００４２】
その後、腰壁パネル１１ａ、１１ｂ、１２ａ、１２ｂ、１３を、階段２１〜２３の各構成部品、他の住宅の構成部品等と共に、トラックなどで建築現場に搬送する。
建築現場では、１階の床４１及び２階の床４２が完成した後、腰壁Ｗ及び階段２１〜２３の設置を行う。
まず、２階側上段腰壁パネル１１ａ下端面１１ｃの被係合孔５２ａと２階側下段腰壁パネル１１ｂ上端面１１ｄの係合突起５４ａとを合わせ、図６（ａ）の矢印方向にスライドさせる。これにより、係合突起５４ａと被係合孔５２ａとが係合して２階側上段腰壁パネル１１ａと２階側下段腰壁パネル１１ｂとが連結し、図６（ｂ）の状態となる。
【００４３】
また、中央上段腰壁パネル１２ａ下端面１２ｃの被係合孔５２ａと中央下段腰壁パネル１２ｂ上端面１２ｄの係合突起５４ａとを合わせ、図７（ａ）の矢印方向にスライドさせる。これにより、係合突起５４ａと被係合孔５２ａとが係合して中央上段腰壁パネル１２ａと中央下段腰壁パネル１２ｂとが連結し、図７（ｂ）の状態となる。
【００４４】
次に、連結させた２階側腰壁パネル１１を、２階の床４２を切欠１４に嵌合させて、１階の床４１上に立てる。このとき、倒れないよう２階側腰壁パネル１１を支えておく。
連結させた中央腰壁パネル１２側端面１２ｅの被係合孔５２ａと２階側腰壁パネル１１の係合突起５４ａとを合わせ、中央腰壁パネル１２を図６（ｃ）の矢印方向へ落とし込む。これにより、係合突起５４ａと被係合孔５２ａとが係合して２階側腰壁パネル１１と中央腰壁パネル１２とが連結し、図６（ｃ）の状態となる。この時点で、２階側腰壁パネル１１と中央腰壁パネル１２とは、１階の床４１上に自立可能になる。
【００４５】
次いで、１階側腰壁パネル１３側端面１３ｅの被係合孔５２ａと中央腰壁パネル１２の係合突起５４ａとを合わせ、１階側腰壁パネル１３を下方向へ落とし込む。これにより、係合突起５４ａと被係合孔５２ａとが係合して中央腰壁パネル１２と１階側腰壁パネル１３とが連結し、３つの腰壁パネル１１〜１３が連結した状態となる。
次に、２階側腰壁パネル１１、中央腰壁パネル１２、１階側腰壁パネル１３の下端面をビスで１階の床４１に固定する。このとき、ビス打ちは、階段２１〜２３設置後に階段２１〜２３で隠れるよう、階段２１〜２３側から行う。
【００４６】
その後、公知の方法で、１階側階段２３、踊り場パネル２９ｂ、中央階段２２、踊り場パネル２９ａ、２階側階段２１を、順次設置する。
階段２１〜２３と踊り場パネル２９ａ、２９ｂの設置が完了すると、階段カウンター４４を設置する。
【００４７】
２階側腰壁パネル１１、中央腰壁パネル１２、１階側腰壁パネル１３の連結部、２階側腰壁パネル１１と２階の床４２及び階段カウンター４４との連結部、２階側腰壁パネル１１及び中央腰壁パネル１２及び１階側腰壁パネル１３と１階の床４１との連結部を、接着剤及びシーリング材で固定し、腰壁Ｗ及び階段２１〜２３の設置を完了する。
【００４８】
本実施の形態では、腰壁Ｗを上から見たときにコの字形になるように設置しているが、３枚の腰壁パネルのうち２枚を横に連結し１枚を垂直に連結して、Ｌ字形になるようにしてもよい。また、複数枚の腰壁パネルをすべて横に連結して、直線状になるようにしてもよい。
また、一方の腰壁パネルの側端面を、そのパネルの側面に対して９０°未満の角度になるように斜めに切断しておけば、他方の腰壁パネルの側面に一方の腰壁パネルの側端面を連結させることにより、上から見たときにくの字型になるように、腰壁Ｗを構成することができる。
【００４９】
また、本実施形態では、２階側腰壁パネル１１と中央腰壁パネル１２の連結、中央腰壁パネル１２と１階側腰壁パネル１３との連結を、すべて係合金物５４及び被係合金物５２を用いて行っているが、階段２１〜２３を設置後、階段２１〜２３により連結部が隠れず露出する箇所のみ係合金物５４及び被係合金物５２を用いて連結し、階段２１〜２３により連結部が隠れる箇所は、ビスを用いて連結してもよい。
階段２１〜２３により連結部が隠れない箇所のみ係合金物５４及び被係合金物５２を用いて連結する場合の、係合金物５４及び被係合金物５２の取付状態を、図９に示す。
【００５０】
図９の取付状態では、２階側上段腰壁パネル１１ａと２階側下段腰壁パネル１１ｂに係合金物５４が一つずつ取り付けられている。図３に示すように、２階側下段腰壁パネル１１ｂと中央腰壁パネル１２との連結領域は、階段２１、２２の下側となる。従って、ビス打ちをしても階段２１、２２に隠れるため、係合金物５４及び被係合金物５２を用いる必要がない。ただし、本実施形態では、係合金物５４及び被係合金物５２による連結を２階側上段腰壁パネル１１ａと２階側下段腰壁パネル１１ｂとの２箇所で行うことにより、安定性を確保している。
【００５１】
また、中央上段腰壁パネル１２ａには、係合金物５４が二つ取り付けられている。図３に示すように、中央下段腰壁パネル１２ｂと１階側腰壁パネル１３との連結領域は、階段２２、２３の下側となる。従って、中央下段腰壁パネル１２ｂはビス打ちをしても階段２２、２３に隠れるため、係合金物５４及び被係合金物５２を用いていない。
【００５２】
本実施形態では、溝５１を設けた側に被係合金物５２を取り付け、係合突起支持体５３の上に係合金物５４を取り付けているが、溝５１を設けた側に係合金物５４を設けてもよい。また、連結する腰壁パネルの双方に溝５１を設け、それぞれの溝５１に係合金物５４、被係合金物５２を取り付けてもよい。
【００５３】
【発明の効果】
以上のように本発明によれば、少なくとも一つの前記腰壁パネルの前記領域には、凹部が形成され、前記連結部は、一方の前記腰壁パネルの前記領域に形成された係合部及び他方の前記腰壁パネルの前記領域に形成された被係合部から形成され、前記係合部及び前記被係合部は、係合時に前記凹部内に収納されるため、腰壁パネルを連結した箇所を外側から見えないようにすることができ、腰壁及び階段を現場で施工するときに、腰壁パネル連結後に、連結箇所を隠すための表面仕上げ等を行う必要がない。
従って、住宅の建築現場では、階段の腰壁の設置は、腰壁パネル同士の連結と、連結箇所の接着剤等による固定のみ行えばよいため、施工工期の短縮を図ることが可能となる。
【図面の簡単な説明】
【図１】本発明の一実施形態に係る腰壁と階段を１階側から見た説明図である。
【図２】本発明の一実施形態に係る腰壁と階段を天井側から見た平面図である。
【図３】図２のＡ−Ａ断面図である。
【図４】本発明の一実施形態に係る腰壁パネルの枠組みの状態を示す説明図である。
【図５】本発明の一実施形態に係る腰壁パネルの連結箇所の斜視図である。
【図６】本発明の一実施形態に係る腰壁パネルの連結状態を示す説明図である。
【図７】本発明の一実施形態に係る腰壁パネルの連結状態を示す説明図である。
【図８】本発明の一実施形態に係る腰壁パネルの説明図である。
【図９】本発明の一実施形態に係る腰壁パネルの説明図である。
【符号の説明】
Ｗ  腰壁
１１  ２階側腰壁パネル
１１ａ  ２階側上段腰壁パネル
１１ｂ  ２階側下段腰壁パネル
１１ｃ  下端面
１１ｄ  上端面
１１ｆ、１２ｆ  連結領域
１２  中央腰壁パネル
１２ａ  中央上段腰壁パネル
１２ｂ  中央下段腰壁パネル
１２ｅ、１３ｅ  側端面
１３  １階側腰壁パネル
１４  切欠
２１  ２階側階段
２２  中央階段
２３  １階側階段
２４  段板
２５  蹴込板
２６  側板
２７  下地桟
２８  幅木
２９ａ、２９ｂ  踊り場パネル
３１、３２、３３  手摺
４１  １階の床
４２  ２階の床
４４  階段カウンター
４４ａ  カウンター台
４４ｂ  手摺パネル
５１、５３ｃ  溝
５２  被係合金物
５２ａ  被係合孔
５２ｂ、５４ｂ  ビス
５２ｃ  円
５２ｄ  略長方形状
５３  係合突起支持体
５３ａ  支持板
５３ｂ  側面支持板
５４  係合金物
５４ａ  係合突起
【図１】
2004211377.tif 000003
【図２】
2004211377.tif 000004
【図３】
2004211377.tif 000005
【図４】
2004211377.tif 000006
【図５】
2004211377.tif 000007
【図６】
2004211377.tif 000008
【図７】
2004211377.tif 000009
【図８】
2004211377.tif 000010
【図９】
2004211377.tif 000011